(57)【要約】【課題】      広帯域ネットワーク及びテレビ技術を用いて、使用者が、ネットワークを介してネットワーク画像及び音声通信サービスを楽しむことができる音声−画像通信方法及び該方法を用いるテレビを提供する。【解決手段】  遠隔使用者１０１〜１０３から着信呼信号を受信する段階と、ＴＶ画像と着信呼情報を同時に表示するように、前記着信呼信号に応答して自動ウェークアップセッティングによってテレビ１１０を自動でターンオンする段階と、前記着信呼情報に応答して通信を行う段階とを含むことを特徴とする。【選択図】    図１
2007300594.tif 000002
【特許請求の範囲】
【請求項１】
テレビを用いる音声−画像通信方法であって、
遠隔使用者から着信呼信号を受信する段階と、
ＴＶ画像と着信呼情報を同時に表示するように、前記着信呼信号に応答して自動ウェークアップセッティングによってテレビを自動でターンオンする段階と、
前記着信呼情報に応答して通信を行う段階と、
を含むことを特徴とする、音声−画像通信方法。
【請求項２】
前記テレビの遠隔制御器または前記テレビを用いて前記着信呼情報に応答するか否かを選択する段階をさらに含むことを特徴とする、請求項１に記載の音声−画像通信方法。
【請求項３】
前記自動ウェークアップセッティングによって前記テレビを自動でターンオンする段階は、リマインディングサウンドを再生する段階をさらに含むことを特徴とする、請求項１に記載の音声−画像通信方法。
【請求項４】
着信呼がある時に、自動ウエイクアップ可能なように前記自動ウェークアップセッティングが設定されると、前記テレビは、前記遠隔使用者の視覚映像を表示することを特徴とする、請求項１に記載の音声−画像通信方法。
【請求項５】
前記着信呼情報は、前記遠隔使用者のＩＤ／アカウント及び前記着信呼の電話番号であることを特徴とする、請求項１に記載の音声−画像通信方法。
【請求項６】
テレビを用いる音声−画像通信方法であって、
遠隔使用者から着信呼信号を受信する段階と、
前記着信呼信号に応答して着信呼情報を表示し、リマインディングサウンドを再生する段階と、
前記着信呼情報に応答して通信を行う段階と、
を含むことを特徴とする、音声−画像通信方法。
【請求項７】
前記テレビの遠隔制御器または前記テレビを用いて前記着信呼情報に応答するか否かを選択する段階をさらに含むことを特徴とする、請求項６に記載の音声−画像通信方法。
【請求項８】
前記テレビは、前記遠隔使用者の視覚映像を表示することを特徴とする、請求項６に記載の音声−画像通信方法。
【請求項９】
前記着信呼情報は、前記着信呼の電話番号及び前記遠隔使用者のＩＤ／アカウントであることを特徴とする、請求項６に記載の音声−画像通信方法。
【請求項１０】
テレビを用いる音声−画像通信方法であって、
前記テレビ上にダイヤルメニューを表示する段階と、
前記ダイヤルメニューを介して発信呼の電話番号を入力して遠隔使用者にダイアリングする段階と、
前記遠隔使用者からの応答を待つ状態に進入する段階と、
前記遠隔使用者が応答を送った後に通信を行う段階と、
を含むことを特徴とする、音声−画像通信方法。
【請求項１１】
前記遠隔使用者が応答を送らないか、通話中であると、再ダイアリングする、または、ダイアリング操作を終了する段階をさらに含むことを特徴とする、請求項１０に記載の音声−画像通信方法。
【請求項１２】
住所録を作成するための、テレビを用いる音声−画像通信方法であって、
前記テレビ上に住所録を表示する段階と、
探索される遠隔使用者の情報を入力する段階と、
ネットワークを介してサーバー端末に接続し、前記遠隔使用者の情報を探索し比較する動作を行う段階と、
前記遠隔使用者の探索された情報を前記住所録に追加する段階と、
を含むことを特徴とする、音声−画像通信方法。
【請求項１３】
前記サーバーが前記遠隔使用者の情報探索に失敗したという応答を送ると、再探索または探索処理の終了を選択することを特徴とする、請求項１２に記載の音声−画像通信方法。
【請求項１４】
遠隔使用者から着信呼信号を受信する受信部と、
使用者が複数の制御命令をテレビに入力するようにする制御部と、
前記着信呼信号に応答して自動ウェークアップセッティングによって前記テレビを選択的にターンオンまたはターンオフし、使用者により入力された前記複数の制御命令に応答して前記遠隔使用者の着信呼に応答するまたは応答しない処理部と、
前記テレビの画像、着信呼情報及び前記遠隔使用者の画像を表示する表示部と、
着信呼リマインディングサウンド及び前記遠隔使用者の音声を放送する音声増幅部と、
前記使用者の音声信号を受信する音声ピックアップ部と、
前記遠隔使用者の情報を格納するメモリ部と、
画像信号を受信するビデオ撮影部と、
前記音声信号及び画像信号を前記遠隔使用者に送信する送信部と、
を備えることを特徴とする、テレビ。
【請求項１５】
前記テレビと共に使用される遠隔制御器を備え、前記遠隔制御器には、前記制御部、前記音声増幅部、音声ピックアップ部及びビデオ撮影部が配置されることを特徴とする、請求項１４に記載のテレビ。
【請求項１６】
使用者が複数の制御命令をテレビに入力するようにする制御部と、
前記使用者により入力された前記複数の制御命令を受信する受信部と、
前記使用者により入力された前記複数の制御命令に応答して遠隔使用者にダイアリングする処理部と、
前記テレビの画像、ダイヤル目録及び前記遠隔使用者の画像を表示する表示部と、
前記遠隔使用者の音声を再生する音声増幅部と、
前記使用者の音声信号を受信する音声ピックアップ部と、
前記遠隔使用者の情報を格納するメモリ部と、
画像信号を受信するビデオ撮影部と、
前記音声信号及び画像信号を前記遠隔使用者に送信する送信部と、
を備えることを特徴とする、テレビ。
【請求項１７】
前記テレビと共に使用される遠隔制御器を備え、前記遠隔制御器には、前記制御部、前記音声増幅部、前記音声ピックアップ部及び前記ビデオ撮影部が配置されることを特徴とする、請求項１６に記載のテレビ。
【請求項１８】
使用者がテレビに複数の制御命令を入力するようにする制御部と、
前記使用者により入力された前記複数の制御命令を受信する受信部と、
前記使用者により入力された前記複数の制御命令に応答して遠隔使用者を探索する処理部と、
前記テレビの画像及び住所録を表示する表示部と、
前記遠隔使用者の情報を格納するメモリ部と、
を備えることを特徴とする、テレビ。
【請求項１９】
前記テレビと共に使用される遠隔制御器を備え、前記遠隔制御器には、前記制御部が配置されることを特徴とする、請求項１８に記載のテレビ。
【発明の詳細な説明】
【技術分野】
【０００１】
本発明は、テレビに係り、特に、ネットワークと統合されたテレビに関する。
【背景技術】
【０００２】
ネットワークを介した音声−画像通信サービスの使用者数は、ネットワーク画像仕様（Ｈ．３２３）とボイスオーバーインターネットプロトコル（ＶｏＩＰ）の音声−画像通信の高品質及びこれらアプリケーションのために特別に設計された通信ソフトウェアの開発に伴い、広帯域ネットワーク環境の発達と共に急速に増加しつつある。
【０００３】
ところで、現在、多くのビデオコンテンツ及びサービスがインターネットを介して提供されており、このようなサービスの便利さを楽しむために、使用者は個人用コンピュータ（ＰＣ）または特殊ネットワーク電話及び特殊ネットワークビデオ電話を使用する。
【０００４】
多くの使用者がテレビよりもコンピュータを利用する時間が長く、使用者がインスタント画像または音声通信用機構としてすぐにコンピュータを使用可能になるとしても、コンピュータ操作に不慣れな使用者には、上記のようなサービスが普及されることができない。
【０００５】
Points North Group及びHorowitz Associatesという２つの米国市場研究会社の行った最近の電話調査によれば、インターネット使用者の２５％が、ダウンロードしたＴＶ番組及び映画をコンピュータ上で見ることを好むが、使用者の３８％は、テレビ上でビデオを楽しむことを好んでいる。1８〜３４歳の使用者４５％は、コンピュータ上でビデオを楽しむことを好むが、６８％は、テレビへの関心がより高かった。このデータは、コンピュータが数多くの機能を有し、かつ、より効率的な両方向性を有するが、大部分の使用者は、コンピュータを用いる忙しい活動を緩和し、リラックスを追及するために、相変らずテレビを通じて、例えば、ＴＶ番組または映画を見ることを好んでいることを示している。
【０００６】
上記からわかるように、テレビは、大部分の消費者に抵抗感のない（non-resistable）媒体で、大衆性と便利さの面ではコンピュータを凌駕する。したがって、ネットワーク画像または音声サービスが、テレビ上の簡単な操作によって利用可能になると、このようなサービスの大衆性が向上し、ネットワーク及びテレビの両方により良いチャンスを提供することになる。
【発明の開示】
【発明が解決しようとする課題】
【０００７】
本発明は上記問題点を解決するためのもので、その目的は、使用者が、テレビを用いてネットワーク画像及び音声通信サービスを楽しむことができ、かつ、有線広帯域または無線広帯域ネットワーク及びデジタルテレビの技術が統合される、テレビを用いる音声−画像通信方法及び該方法を用いるテレビを提供することにある。したがって、テレビは受動的に放送信号を受信するだけでなく、使用者間の両方向通信を達成でき、同期的に通信を行いながら最新のＴＶ情報を受信することが可能になる。
【課題を解決するための手段】
【０００８】
本発明の特定実施例によれば、テレビを用いるネットワーク通信において、テレビが待機または再生状態にある時、着信呼及び発信呼に対して相異なる処理手続きが行われる。
【０００９】
テレビが待機状態にあると、遠隔使用者からの着信呼信号を受信し、使用者により設定された自動ウェークアップセッティングによって相異なる操作、すなわち、テレビの自動ターンオンまたはターンオフが行われる。その後、着信呼情報がテレビの画像に表示され、及び／または、着信呼リマインディングサウンドがテレビの内蔵スピーカーまたは遠隔制御器で再生される。この時、使用者は、テレビの遠隔制御器またはテレビを用いて、電話に応答して話し合い状態に入るか、または、電話に応答せずに呼を終了するかを選択する。
【００１０】
テレビが再生状態にあると、テレビは、遠隔使用者から着信呼信号を受信して画像に着信呼情報を表示し、及び／または、テレビの内蔵スピーカーまたは遠隔制御器で着信呼リマインディングサウンドを再生する。この時も同様に、使用者は再びテレビの遠隔制御器またはテレビを用いて、電話に応答して話し合い状態に入るか、または、電話に応答せずに呼を終了するかを選択する。
【００１１】
発信呼を生成した場合に使用者は、テレビの遠隔制御器またはテレビを用いてＴＶ画像にダイヤルメニューを表示し、該ダイヤルメニューの住所録から連絡する遠隔使用者を選択するか、遠隔制御器を介して発信呼の番号を入力し、ダイアリング操作を完了する。その後、使用者は遠隔使用者からの応答を待つ。
【００１２】
本発明は、住所録を作成するプログラムをさらに含む。使用者がテレビの遠隔制御器またはテレビを用いてＴＶ画像に住所録を表示し、該住所録上の連絡先を作成し探索する情報を用いてネットワークサーバーターミナルに接続して連絡者情報を探索し、ネットワークサーバーからの探索成功または失敗応答によって連絡先情報を住所録に追加するか否かを決定する。
【発明の効果】
【００１３】
本発明によれば、使用者は、ピクチャー・イン・ピクチャー（ＰＩＰ）技術を用いてテレビ番組を見ながら遠隔被呼者と両方向画像通話を行うことが可能になる。なお、多数の使用者が、スポーツまたは教育番組などのＴＶ放送に影響を受けないながら、同時に画像通信を行うことができる。本発明の方法によれば、多数の使用者が一緒に討論及び研究ができ、通信費用を大幅に節減可能になる。一方、使用者は、テレビの遠隔制御器または内蔵ビデオカメラを介して、例えば、携帯情報端末（ＰＤＡ）または移動電話で自分の家を遠隔監視し、家の保安を確保できる。
【発明を実施するための最良の形態】
【００１４】
本発明の詳細な特徴及び利点は、以下の実施例からさらに明らかになる。なお、当該技術分野における通常の知識を持つ者なら、以下の実施例から、充分に本発明の技術内容を理解し本発明を具現することが可能である。すなわち、下記の実施例、請求範囲及び図面の内容から、当該技術分野における通常の知識を持つ者は、本発明の目的及び利点を容易に理解することができる。
【００１５】
図１は、本発明による、テレビを用いる音声−画像通信方法及び該方法を用いるテレビを示す概略図である。図１に示すように、ＰＩＰ（ピクチャー・イン・ピクチャー）１１１技術が本発明で使用され、使用者１０１〜１０３は、ＴＶ １１０を見ながらインターネット１２０を通じて遠隔使用者１０１〜１０３とネットワーク画像または音声通話を行う。インターネット１２０は、有線または無線広帯域ネットワークとすれば良い。本発明の特定実施例によれば、使用者１０１〜１０３は、一対一画像通信または多数共同（multi-party）画像通信を行うことができる。図２は、本発明によるテレビと共に使用される遠隔制御器を示す概略図である。画像通信に使用されるビデオカメラ１１２は、テレビ１１０またはテレビの遠隔制御器２００に装着される。
【００１６】
テレビ１１０が待機状態にあるか、再生状態にあるかの状況によって、本発明では、着信呼及び発信呼に対して相異なる手続きが行われる。図３は、着信呼がある時に、待機状態におけるテレビ１１０の処理流れ図３０である。遠隔の使用者からの着信呼があると（段階３０１）、テレビ１１０は、遠隔使用者から着信呼信号を受信する（段階３０２）。その後、テレビ１１０は、使用者により設定された自動ウェークアップ（wakeup）設定によって異なるアクションを取る（段階３０３）。使用者が、テレビを自動ウェークアップ機能を有するように設定すると、テレビ１１０は、自動でターンオンされ、ＴＶ画像にＴＶ番組及び着信呼の情報を表示し、テレビの内蔵スピーカー２１３，１１３または遠隔制御器２００と共に、または、無しに着信呼リマインディングサウンドを再生する（段階３０４）。着信呼情報または着信呼リマインディングサウンドを受信すると、使用者は、呼に応答するか否かを選択する（段階３０５）。使用者が呼に応答することを選択すると、使用者は、遠隔制御器２００上のＯＫ／トークボタン２０１またはテレビ１１０の操作パネル上のＯＫ／トークボタンを押して呼に応答し、遠隔制御器２００の内蔵マイクロホン２１４及びスピーカー２１３、またはテレビ１１０の内蔵マイクロホン１１４及びスピーカー２１３を用いて呼に応答して呼を受信し、話し合い状態が終了するまで（段階３０９まで）話し合い状態に入る（段階３０６）。使用者が呼に応答しないことを選択すると、使用者は、遠隔制御器２００の取消／終了ボタン２０２、またはテレビ１１０の操作パネル上の取消／終了ボタンを押し、呼に対して応答しないことを選択することで（段階３０７）、着信呼手続きを直接終了する（段階３０９）。
【００１７】
一方、使用者が、テレビ１１０を非自動ウェークアップ状態に設定すると、テレビ１１０は、任意の画像を表示せずに、着信呼リマインディングサウンドがテレビ１１０の内蔵スピーカー２１３及び１１３、または遠隔制御器２００を介して再生される（段階３０８）。この時に、使用者は、呼に応答するか否かを選択する（段階３０５）。使用者が呼に応答することを選択すると、使用者は、遠隔制御器２００上のＯＫ／トークボタン２０１またはテレビ１１０の操作パネル上のＯＫ／トークボタンを押して呼に応答し、遠隔制御器２００の内蔵マイクロホン２１４及びスピーカー２１３、またはテレビ１１０の内蔵マイクロホン１１４及びスピーカー１１３を押して呼に応答して呼を受信し、呼が終了するまで（段階３０９まで）話し合い状態に入る（段階３０６）。使用者が呼に応答しないことを選択すると、使用者は、遠隔制御器２００の取消／終了ボタン２０２またはテレビ１１０の操作パネル上の取消／終了ボタンを押し、呼に応答しないことを選択することで（段階３０７）、着信呼手続きを直接終了する（段階３０９）。
【００１８】
本発明の特定実施例によれば、段階３０４で、遠隔使用者が視覚映像をターンオンし、テレビ１１０がターンオンされると、放送ＴＶ番組及び着信呼の情報の他に、遠隔使用者の視覚映像がＴＶ画像内に表示される。使用者は、母画像（メイン画像）１１５にＴＶ番組が表示されるように設定し、テレビ１１０の子画像１１１に使用者の視覚映像が表示されるように設定することができる。或いは、使用者は、テレビ１１０の子画像１１１にＴＶ番組が表示されるように設定し、テレビ１１０の母画像（メイン画像）１１５に使用者の視覚映像が表示されるように設定しても良い。着信呼の電話番号または遠隔使用者のＩＤ／アカウントでありうる着信呼情報が、母画像及び子画像のいずれかに表示されることができる。使用者が着信呼に応答すると、着信呼情報は、話し合い状態に関する情報に変更され、例えば、“話し合い中”という情報が表示される。
【００１９】
図４には、着信呼がある場合、再生状態におけるテレビ１１０の処理流れ図４０を示す。処理手続きは、遠隔使用者から着信呼がある時（段階４０１）、テレビ１１０は、遠隔使用者の信号を受信し（段階４０２）、この時に、ＴＶ画像に放送ＴＶ番組及び着信呼情報を表示し、及び／または、テレビの遠隔制御器２００またはテレビの内蔵スピーカー１１３及び２１３によって着信呼リマインディングサウンドを再生する（段階４０３）。使用者が着信呼情報を受信した後に、使用者は、呼に応答するか否かを選択する（段階４０４）。使用者が呼に応答することを選択すると、使用者は、遠隔制御器２００上のＯＫ／トークボタン２０１またはテレビ１１０の操作パネル上のＯＫ／トークボタンを押して呼に応答し、遠隔制御器２００の内蔵マイクロホン２１４及びスピーカー２１３、またはテレビ１１０の内蔵マイクロホン１１４及びスピーカー１１３を用いて呼に応答して呼を受信し、呼が終了するまで（段階４０７まで）話し合い状態に入る（段階４０５）。使用者が呼に応答しないことを選択すると、使用者は、遠隔制御器２００の取消／終了ボタン２０２またはテレビ１１０の操作パネル上の取消／終了ボタンを押し呼に応答しないことを選択することで（段階４０６）、着信呼手続きを直接終了する（段階４０７）。
【００２０】
本発明の特定実施例によれば、段階４０３で、遠隔使用者が放送ＴＶ番組及び着信呼情報以外の視覚映像をターンオンすると、遠隔使用者の視覚映像もまたＴＶ画像に表示される。使用者は、テレビ１１０の母画像（メイン画像）１１５にＴＶ番組が表示されるように設定し、テレビ１１０の子画像１１１に使用者の視覚映像が表示されるように設定しても良く、テレビ１１０の子画像１１１にＴＶ番組が表示されるように設定し、テレビ１１０の母画像（メイン画像）１１５に使用者の視覚映像が表示されるように設定しても良い。母画像と子画像のいずれかに着信呼の電話番号または遠隔使用者のＩＤ／アカウントでありうる着信呼情報が表示される。使用者が着信呼に応答すると、着信呼情報は話し合い状態に関する情報に変更され、例えば、“話し合い中”という情報が表示される。
【００２１】
図５に、発信呼の処理流れ図５０を示す。使用者がテレビ１１０をターンオンすると（段階５０１）、使用者は、遠隔制御器２００のダイヤルボタン２０５またはテレビ１１０の操作パネル上のダイヤルボタンを使ってＴＶ画像にダイヤルメニューを表示する（段階５０２）。ダイヤルメニューは住所録を含む。使用者は、テレビ１１０の操作パネル上の選択ボタンまたは遠隔制御器２００の選択ボタン２０６を用いて、住所録から連絡する遠隔使用者を選択する、または、遠隔制御器２００の番号ボタン２０７を用いて、発信呼の電話番号をダイアリングする（段階５０３）。使用者が遠隔制御器２００のＯＫ／トークボタン２０１またはテレビ１１０の操作パネル上のＯＫ／トークボタンを押してダイアリング操作を確認すると、ダイアリング操作が完了し、この時に、使用者は、遠隔使用者からの応答を待つ（段階５０４）。遠隔使用者が呼に応答すると、呼が終了するまで（段階５０７まで）、両方通話者は話し合い状態に入る（段階５０５）。遠隔使用者が電話に応答しない、または、通話中であると（段階５０６）、使用者は、遠隔制御器２００の再ダイヤルボタン２０３を用いて再ダイヤルする、または、発信呼手続きを直接終了する（段階５０７）。本発明の特定実施例によれば、段階５０４で、使用者がダイアリング操作を完了すると、現在のダイアリング状態に関する情報がテレビ１１０の画像に表示され、例えば、“ダイアリング”という情報が表示される。
【００２２】
上述の如く、発信呼の処理流れ図５０において、住所録が探索によって作成されることができる。例えば、遠隔使用者がアカウントまたはＩＰ住所を探索することによって住所録に追加される。住所録を作成する流れ図６０を、図６に示す。まず、使用者が、テレビ１１０をターンオンする（段階６０１）。使用者が遠隔制御器２００のダイヤルボタン２０５またはテレビ１１０の操作パネル上のダイヤルボタンを用いてＴＶ画像に住所録を表示する（段階６０２）。住所録は、情報を作成し且つ探索する機能を持つ。使用者は、テレビ１１０の操作パネル上の選択ボタンまたは遠隔制御器２００の選択ボタン２０６を用いて、追加または探索される遠隔使用者のアカウントまたはＩＰ住所の情報を入力する。この際、使用者が、作成または探索機能を取消したい場合は、使用者は、遠隔制御器２００のスキップボタン２０４またはテレビ１１０の操作パネル上のスキップボタンを押し、インターフェースを終了することを選択する（段階６０３及び段階６０７）。使用者が作成すべき情報の入力を完了した後に、情報が住所録に格納されるか、使用者が探索される情報の入力を完了した後に、インターネットを介してネットワークのサーバー端末に接続することによって情報を探索し比較する動作が行われる（段階６０４）。ネットワークサーバーが成功したという応答を送ると、使用者は、住所録に遠隔使用者のアカウントまたはＩＰ住所を追加し、情報を再探索したり終了を選択することができる（段階６０５）。ネットワークサーバーが失敗したという応答を送ると、使用者は、情報を入力して再探索したり終了を選択する（段階６０６及び段階６０７）。
【００２３】
図７には、本発明のテレビの機能ブロック図７０を示す。図７に示すように、テレビ１１０は、受信部７０１、送信部７０２、処理部７０３、表示部７０４、音声増幅部７０５、音声ピックアップ部７０６、ビデオ撮影部７０７、メモリ部７０８及び制御部７０９を備える。これらの構成要素は、本発明の呼着信及び発信の手続きを達成するのに使用される。受信部７０１は、遠隔使用者１０１〜１０３から着信呼信号またはＴＶ信号を受信するのに使用され、処理部７０３に接続し、処理される着信呼信号を処理部７０３に伝達する。処理部７０３は、使用者により設定された自動ウェークアップ設定によってテレビの画像をターンオンするか否かを決定し、着信呼信号を発する遠隔使用者のアカウントまたは電話番号を、メモリ部７０８の情報と比較する。テレビ１１０の画像がターンオンされると、処理部７０３は、遠隔使用者の比較されたアカウントまたは電話番号を表示部７０４に転送し、着信呼の情報を表示する。一方、処理部７０３は、音声増幅部７０５を介して着信呼リマインディングサウンドを再生し、及び/または、送信部７０２を介して遠隔制御器２００に制御命令を転送し、遠隔制御器２００の音声増幅部（例えば、スピーカー１１３）が着信呼リマインディングサウンドを再生し、使用者に着信呼を気付かせる。ここで、音声増幅部７０５は、例えばスピーカー２１３でありうる。テレビ１１０の画像がターンオンされると、処理部７０３は、音声増幅部７０５及び／または遠隔制御器２００のスピーカー１１３を介して着信呼リマインディングサウンドのみを再生する。
【００２４】
使用者がテレビ１１０の操作パネル上のＯＫ／トークボタンなどの制御部７０９または遠隔制御器２００上のＯＫ／トークボタン２０１を用いて呼に応答することを選択する、または、テレビ１１０の操作パネル上の取消／終了ボタンなどの制御部７０９または遠隔制御器２００上の取消/終了ボタン２０２を用いて呼に応答しないことを選択する。呼が応答された後に、使用者は、テレビ１１０の内蔵マイクロホン１１４などの音声ピックアップ部７０６または遠隔制御器２００の内蔵マイクロホン２１４を介して話し合いをし、テレビ１１０の内蔵ビデオカメラ１１２などのビデオ撮影部７０７または遠隔制御器２００の内蔵ビデオカメラ１１２を介して撮影することによって、画像通信を達成する。その後、音声ピックアップ部７０６及びビデオ撮影部７０７がそれぞれ、受信した音声信号及び画像信号を処理部７０３に送信する、または、遠隔制御器２００の内蔵マイクロホン２１４及びビデオカメラ１１２がそれぞれ、受信した音声信号及び画像信号を処理部７０３に送信する。したがって、処理部７０３は、信号をエンコーディング／圧縮／変調することを含む、音声信号及び画像信号のデジタル信号処理を行い、送信部７０２を介して遠隔使用者に処理済み信号を転送する。
【００２５】
使用者の発信呼が処理され、使用者がテレビ１１０の操作パネル上のＯＫ／トークボタンなどの制御部７０９または遠隔制御器２００のダイヤルボタン２０５を押すと、制御部７０９が処理部７０３に制御命令を送信するか、遠隔制御器２００が受信部７０１に制御命令を送信し、この受信部７０１は処理部７０３に制御命令を送信する。処理部７０３は制御命令を受信し、表示部７０４にダイヤルメニューを表示するように命令する。使用者は、テレビ１１０の操作パネル上の選択ボタンなどの制御部７０９を介してダイアリング番号／アカウント番号を入力し該番号を処理部７０３に送信するか、遠隔制御器２００の選択ボタン２０６または番号ボタン２０７を介してダイアリング番号／アカウント番号を入力し該番号を受信部７０１に送信し、この受信部７０１は、処理部７０３にダイアリング番号／アカウントを送信する。使用者が入力を完了すると、使用者は、テレビ１１０の操作パネル上のＯＫ／トークボタンなどの制御部７０９を介してダイヤル命令を入力し該ダイヤル命令を処理部７０３に送信するか、遠隔制御器２００のＯＫ／トークボタン２０６にダイヤル命令を入力し該ダイヤル命令を受信部７０１に送信し、この受信部７０１は、処理部７０３にダイヤル命令を送信する。処理部７０３がダイヤル命令を受信した後、ダイアリングアクションが行われ、当該遠隔使用者の情報が送信部７０２を介してインターネット１２０に転送される。上述したように、インターネット１２０は、有線または無線広帯域ネットワークでありうる。
【００２６】
住所録を作成したい場合、使用者は、テレビ１１０の操作パネル上のＯＫ／トークボタンなどの制御部７０９または遠隔制御器２００のダイヤルボタン２０５を押す。このときに、制御部７０９が処理部７０３に制御命令を送信するか、遠隔制御器２００が受信部７０１に制御命令を送信し、この受信部７０１は、処理部７０３に制御命令を送信する。処理部７０３が制御命令を受信した後に、表示部７０４にダイヤルメニューを表示するように命令する。このダイヤルメニューは住所録を含む。使用者は、テレビ１１０の操作パネル上の選択ボタンなどの制御部７０９を介して第１探索命令を入力し、これを処理部７０３に送信する、または、遠隔制御器２００上の選択ボタン２０６を介して第１探索命令を入力し該第１探索命令を受信部７０１に送信し、この受信部７０１は、処理部７０３に第１探索命令を送信する。処理部７０３は、第１探索命令を受信した後に、入力されるアカウントまたは住所録を表示するように表示部７０４に命令する。使用者は、テレビ１１０の操作パネル上の選択ボタンなどの制御部７０９を介してアカウントまたは住所を入力し該アカウントまたは住所を処理部７０３に送信する、または、遠隔制御器２００の選択ボタン２０６または番号ボタン２０７を介してアカウントまたは住所を入力し該アカウントまたは住所を受信部７０１に送信し、この受信部７０１は、処理部７０３にアカウントまたは住所を送信する。使用者は、入力動作を完了した後に、テレビ１１０の操作パネル上のＯＫ／トークボタンなどの制御部７０９を介して第２探索命令を入力し該第２探索命令を処理部７０３に送信する、または、遠隔制御器２００のＯＫ／トークボタン２０６を介して第２探索命令を入力し該第２探索命令を受信部７０１に送信し、この受信部７０１は、処理部７０３で第２探索命令を送信する。処理部７０３が第２探索命令を受信したのち探索動作を行い、上述したアカウントまたは住所を送信部７０２を介してインターネット１２０に送信する。
【００２７】
要するに、本発明に開示された音声−画像通信において、“着信呼手続き”及び“発信呼手続き”の動作流れは、通常のローカル電話または移動電話に似ている。したがって、本発明は、コンピュータ操作に慣れていない大衆に操作上最適の便利さを提供する。また、本発明の方法及び装置によれば、使用者は、簡単なアーキテクチャーに基づいて音声−画像通信と共にテレビを介して放送される情報をインタラプトなしに受信することができる。したがって、使用者は、より充分な通信経験を獲得できる。
【００２８】
以上では、本発明によって着信呼及び発信呼に対する相異なる手続き及び住所録を作成し探索する手続きについて説明してきたが、これら手続きを達成するための装置も開示されている。
【００２９】
以上説明した本発明は、種々の方法で変更可能であり、本発明の思想と範囲内における変更はいずれも、添付の特許請求の範囲に含まれるということは、当該技術分野における通常の知識を持つ者にとっては自明である。
【図面の簡単な説明】
【００３０】
【図１】本発明による、テレビを用いる音声−画像通信方法及び該方法を用いるテレビを示す概略図である。
【図２】本発明によるテレビを用いる音声−画像通信方法及び該方法を用いるテレビと共に使用される遠隔制御器を示す概略図である。
【図３】着信呼がある時に、本発明による待機状態におけるテレビの処理流れ図である。
【図４】着信呼がある時に、本発明による再生状態におけるテレビの処理流れ図である。
【図５】本発明による発信呼の処理流れ図である。
【図６】本発明による住所録を作成するための流れ図である。
【図７】本発明のテレビの機能ブロック図である。
【符号の説明】
【００３１】
３０    着信呼がある時に、待機状態におけるテレビの処理流れ図
４０    着信呼がある場合、再生状態におけるテレビの処理流れ図
５０    発信呼の処理流れ図
６０    住所録を作成する流れ図
７０    テレビの機能ブロック図
１０１，１０２，１０３    使用者
１１０    テレビ
１１１    子画像
１１２    ビデオカメラ
１１３，２１３    スピーカー
１１４，２１４    マイクロホン
１１５    母画像（メイン画像）
１２０    インターネット
２００    テレビの遠隔制御器
２０１    ＯＫ／トークボタン
２０２    取消／終了ボタン
２０３    再ダイヤルボタン
２０４    スキップボタン
２０５    ダイヤルボタン
２０６    選択ボタン
２０７    番号ボタン
７０１    受信部
７０２    送信部
７０３    処理部
７０４    表示部
７０５    音声増幅部
７０６    音声ピックアップ部
７０７    ビデオ撮影部
７０８    メモリ部
７０９    制御部
【図１】
2007300594.tif 000003
【図２】
2007300594.tif 000004
【図３】
2007300594.tif 000005
【図４】
2007300594.tif 000006
【図５】
2007300594.tif 000007
【図６】
2007300594.tif 000008
【図７】
2007300594.tif 000009